(57)【要約】  【課題】構成を簡素化できるとともにレイアウトを任意に設定できる自動販売機の施錠装置21を提供する。  【解決手段】販売機本体には複数のロック受部を設け、扉体には扉体の閉鎖によりロック受部に係合して施錠する複数のロック部23を設ける。複数の鍵解錠用ワイヤケーブル46により、鍵によって解錠操作する１つの錠部44と各ロック部23とを連結し、錠部44の解錠動作を各ロック部23に伝達し、各ロック部23を解錠させる。複数のリモコン解錠用ワイヤケーブル47により、１つのソレノイド45と各ロック部23とを連結し、ソレノイド45の駆動を各ロック部23に伝達し、各ロック部23を解錠させる。複数のロック部23に対して錠部44およびソレノイド45が１つずつとし、構成を簡素化する。各ワイヤケーブル46，47の利用により、錠部44およびソレノイド45と各ロック部23との配置を任意に設定できる。  【選択図】図１
2005336737.tif 000002
【特許請求の範囲】
【請求項１】
販売機本体とこの販売機本体に開閉可能な扉体とのいずれか一方の複数位置に設けられる複数のロック受部と、
前記販売機本体と扉体とのいずれか他方で前記各ロック受部の位置に対応した複数位置に設けられ、扉体の閉鎖により前記各ロック受部に係合して施錠する複数のロック部と、
鍵による解錠操作によって解錠動作する錠部と、
この錠部と前記各ロック部とをそれぞれ連結し、錠部の解錠動作を各ロック部に伝達して各ロック部を解錠させる複数の鍵解錠用ワイヤケーブルと
を具備していることを特徴とする自動販売機の施錠装置。
【請求項２】
販売機本体とこの販売機本体に開閉可能な扉体とのいずれか一方の複数位置に設けられる複数のロック受部と、
前記販売機本体と扉体とのいずれか他方で前記各ロック受部の位置に対応した複数位置に設けられ、扉体の閉鎖により前記各ロック受部に係合して施錠する複数のロック部と、
解錠信号を受信するリモコン受信部と、
このリモコン受信部で解錠信号を受信することにより駆動する解錠駆動部と、
この解錠駆動部と前記各ロック部とをそれぞれ連結し、解錠駆動部の駆動を各ロック部に伝達して各ロック部を解錠させる複数のリモコン解錠用ワイヤケーブルと
を具備していることを特徴とする自動販売機の施錠装置。
【請求項３】
販売機本体とこの販売機本体に開閉可能な扉体とのいずれか一方の複数位置に設けられる複数のロック受部と、
前記販売機本体と扉体とのいずれか他方で前記各ロック受部の位置に対応した複数位置に設けられ、扉体の閉鎖により前記各ロック受部に係合して施錠する複数のロック部と、
鍵による解錠操作によって解錠動作する錠部と、
この錠部と前記各ロック部とをそれぞれ連結し、錠部の解錠動作を各ロック部に伝達して各ロック部を解錠させる複数の鍵解錠用ワイヤケーブルと、
解錠信号を受信するリモコン受信部と、
このリモコン受信部で解錠信号を受信することにより駆動する解錠駆動部と、
この解錠駆動部と前記各ロック部とをそれぞれ連結し、解錠駆動部の駆動を各ロック部に伝達して各ロック部を解錠させる複数のリモコン解錠用ワイヤケーブルと
を具備していることを特徴とする自動販売機の施錠装置。
【請求項４】
各ロック部と各鍵解錠用ワイヤケーブルおよび各リモコン解錠用ワイヤケーブルとの間を連結し、鍵解錠用ワイヤケーブルおよびリモコン解錠用ワイヤケーブルからロック部へのそれぞれ独立した伝達動作を許容するジョイントを備えている
ことを特徴とする請求項３記載の自動販売機の施錠装置。
【請求項５】
錠部および解錠駆動部が一体に設けられ、販売機本体と扉体とのいずれか他方に取り付けられる取付部を備えている
ことを特徴とする請求項３または４記載の自動販売機の施錠装置。
【発明の詳細な説明】
【技術分野】
【０００１】
本発明は、販売機本体に開閉される扉体を施錠解錠する自動販売機の施錠装置に関する。
【背景技術】
【０００２】
従来、販売機本体に開閉される扉体を施錠解錠する自動販売機の施錠装置では、販売機本体の上下２箇所にロック受部が設けられているとともに、これら上下のロック受部の位置に対応した扉体の上下２箇所にロック部が設けられており、開放状態の扉体を閉鎖することで各ロック部が各ロック受部に係合して自動的に施錠するように構成されている施錠装置がある。
【０００３】
このような施錠装置では、扉体に、鍵で解錠操作する錠部を設けるとともに、この錠部と上下の各ロック部とを連結する金属製の連結板を上下動可能に設け、そして、鍵による解錠操作により、連結板を上方へ移動させて各ロック部を各ロック受部から上方に逃して解錠し、扉体を開放できるようにした構造がある。
【０００４】
また、別の施錠装置では、各ロック部毎に各ロック部を解錠駆動するソレノイドをそれぞれ１つずつ設け、鍵による解錠操作を検知するか、リモコンによる解錠信号を受信することにより、各ソレノイドを駆動して各ロック部を各ロック受部から解錠し、扉体を開放できるようにした構造がある（例えば、特許文献１参照。）。
【特許文献１】特開２００１−１４５２８号公報（第３−４頁、図１−５）
【発明の開示】
【発明が解決しようとする課題】
【０００５】
しかしながら、錠部と上下の各ロック部とを連結板で連結した施錠装置では、鍵の解錠操作により、金属製で重い連結板を上方へ移動させなければならず、鍵による解錠操作の負荷が大きく、しかも、連結板によって錠部と上下の各ロック部とを連結できる位置関係が限られ、錠部の位置変更などに容易に対応できない問題がある。
【０００６】
また、各ロック部を各ソレノイドの駆動で解錠する施錠装置では、各ロック部毎にソレノイドを１つずつ用いる必要があり、ソレノイドの数が増加してコスト高になるばかりか、電気的配線や制御などを含めて構成が複雑になる問題がある。しかも、電流値の関係で複数のソレノイドを同時に駆動させることができない場合もあり、この場合にはソレノイドを１つずつ順番に駆動させる必要があるので、解錠時に時間がかかる問題がある。
【０００７】
本発明は、このような点に鑑みなされたもので、構成を簡素化できるとともにレイアウトを任意に設定できる自動販売機の施錠装置を提供することを目的とする。
【課題を解決するための手段】
【０００８】
請求項１記載の自動販売機の施錠装置は、販売機本体とこの販売機本体に開閉可能な扉体とのいずれか一方の複数位置に設けられる複数のロック受部と、前記販売機本体と扉体とのいずれか他方で前記各ロック受部の位置に対応した複数位置に設けられ、扉体の閉鎖により前記各ロック受部に係合して施錠する複数のロック部と、鍵による解錠操作によって解錠動作する錠部と、この錠部と前記各ロック部とをそれぞれ連結し、錠部の解錠動作を各ロック部に伝達して各ロック部を解錠させる複数の鍵解錠用ワイヤケーブルとを具備しているものである。
【０００９】
そして、複数の鍵解錠用ワイヤケーブルにより、１つの錠部と複数のロック部とをそれぞれ連結し、１つの錠部の解錠動作を各ロック部に伝達して各ロック部を解錠させるため、錠部が１つで済んで構成が簡素化され、しかも、鍵解錠用ワイヤケーブルの利用により、鍵による解錠操作の負荷が少なく、錠部および各ロック部の配置が任意に設定可能となる。
【００１０】
請求項２記載の自動販売機の施錠装置は、販売機本体とこの販売機本体に開閉可能な扉体とのいずれか一方の複数位置に設けられる複数のロック受部と、前記販売機本体と扉体とのいずれか他方で前記各ロック受部の位置に対応した複数位置に設けられ、扉体の閉鎖により前記各ロック受部に係合して施錠する複数のロック部と、解錠信号を受信するリモコン受信部と、このリモコン受信部で解錠信号を受信することにより駆動する解錠駆動部と、この解錠駆動部と前記各ロック部とをそれぞれ連結し、解錠駆動部の駆動を各ロック部に伝達して各ロック部を解錠させる複数のリモコン解錠用ワイヤケーブルとを具備しているものである。
【００１１】
そして、複数のリモコン解錠用ワイヤケーブルにより、１つの解錠駆動部と複数のロック部とをそれぞれ連結し、１つの解錠駆動部の駆動を各ロック部に伝達して各ロック部を同時に解錠させることができるため、解錠駆動部が１つで済んで構成が簡素化され、しかも、リモコン解錠用ワイヤケーブルの利用により、解錠駆動部および各ロック部の配置が任意に設定可能となる。
【００１２】
請求項３記載の自動販売機の施錠装置は、販売機本体とこの販売機本体に開閉可能な扉体とのいずれか一方の複数位置に設けられる複数のロック受部と、前記販売機本体と扉体とのいずれか他方で前記各ロック受部の位置に対応した複数位置に設けられ、扉体の閉鎖により前記各ロック受部に係合して施錠する複数のロック部と、鍵による解錠操作によって解錠動作する錠部と、この錠部と前記各ロック部とをそれぞれ連結し、錠部の解錠動作を各ロック部に伝達して各ロック部を解錠させる複数の鍵解錠用ワイヤケーブルと、解錠信号を受信するリモコン受信部と、このリモコン受信部で解錠信号を受信することにより駆動する解錠駆動部と、この解錠駆動部と前記各ロック部とをそれぞれ連結し、解錠駆動部の駆動を各ロック部に伝達して各ロック部を解錠させる複数のリモコン解錠用ワイヤケーブルとを具備しているものである。
【００１３】
そして、複数の鍵解錠用ワイヤケーブルにより、１つの錠部と複数のロック部とをそれぞれ連結し、１つの錠部の解錠動作を各ロック部に伝達して各ロック部を解錠させるため、錠部が１つで済んで構成が簡素化され、しかも、鍵解錠用ワイヤケーブルの利用により、鍵による解錠操作の負荷が少なく、錠部および各ロック部の配置が任意に設定可能となる。また、複数のリモコン解錠用ワイヤケーブルにより、１つの解錠駆動部と複数のロック部とをそれぞれ連結し、１つの解錠駆動部の駆動を各ロック部に伝達して各ロック部を同時に解錠させることができるため、解錠駆動部が１つで済んで構成が簡素化され、しかも、リモコン解錠用ワイヤケーブルの利用により、解錠駆動部および各ロック部の配置が任意に設定可能となる。また、鍵およびリモコンのいずれでも解錠が可能な併用タイプでも、錠部と各ロック部との間を鍵解錠用ワイヤケーブルで、解錠駆動部と各ロック部との間をリモコン解錠用ワイヤケーブルで、それぞれ独立して連結しているため、錠部側および解錠駆動部側のどちらか一方に異常が生じても、他方によってロック部を確実に解錠可能とする。
【００１４】
請求項４記載の自動販売機の施錠装置は、請求項３記載の自動販売機の施錠装置において、各ロック部と各鍵解錠用ワイヤケーブルおよび各リモコン解錠用ワイヤケーブルとの間を連結し、鍵解錠用ワイヤケーブルおよびリモコン解錠用ワイヤケーブルからロック部へのそれぞれ独立した伝達動作を許容するジョイントを備えているものである。
【００１５】
そして、各ロック部と各鍵解錠用ワイヤケーブルおよび各リモコン解錠用ワイヤケーブルとの間を連結するジョイントにより、鍵解錠用ワイヤケーブルおよびリモコン解錠用ワイヤケーブルからロック部へのそれぞれ独立した伝達動作を許容するため、鍵解錠用ワイヤケーブルおよびリモコン解錠用ワイヤケーブルを同じロック部に連結していても、ロック部を確実に解錠動作でき。
【００１６】
請求項５記載の自動販売機の施錠装置は、請求項３または４記載の自動販売機の施錠装置において、錠部および解錠駆動部が一体に設けられ、販売機本体と扉体とのいずれか他方に取り付けられる取付部を備えているものである。
【００１７】
そして、取付部に錠部および解錠駆動部を一体に設けてユニット化したため、取付作業が簡単になって取付工数も削減され、組立性が向上する。
【発明の効果】
【００１８】
請求項１記載の自動販売機の施錠装置によれば、複数の鍵解錠用ワイヤケーブルにより、１つの錠部と複数のロック部とをそれぞれ連結し、１つの錠部の解錠動作を各ロック部に伝達して各ロック部を解錠させることができるため、錠部が１つで済んで構成を簡素化でき、しかも、鍵解錠用ワイヤケーブルの利用により、鍵による解錠操作の負荷を少なくでき、錠部および各ロック部の配置を任意に設定できる。
【００１９】
請求項２記載の自動販売機の施錠装置によれば、複数のリモコン解錠用ワイヤケーブルにより、１つの解錠駆動部と複数のロック部とをそれぞれ連結し、１つの解錠駆動部の駆動を各ロック部に伝達して各ロック部を同時に解錠させることができるため、解錠駆動部が１つで済んで構成を簡素化でき、しかも、リモコン解錠用ワイヤケーブルの利用により、解錠駆動部および各ロック部の配置を任意に設定できる。
【００２０】
請求項３記載の自動販売機の施錠装置によれば、複数の鍵解錠用ワイヤケーブルにより、１つの錠部と複数のロック部とをそれぞれ連結し、１つの錠部の解錠動作を各ロック部に伝達して各ロック部を解錠させることができるため、錠部が１つで済んで構成を簡素化でき、しかも、鍵解錠用ワイヤケーブルの利用により、鍵による解錠操作の負荷を少なくでき、錠部および各ロック部の配置を任意に設定できる。また、複数のリモコン解錠用ワイヤケーブルにより、１つの解錠駆動部と複数のロック部とをそれぞれ連結し、１つの解錠駆動部の駆動を各ロック部に伝達して各ロック部を同時に解錠させることができるため、解錠駆動部が１つで済んで構成を簡素化でき、しかも、リモコン解錠用ワイヤケーブルの利用により、解錠駆動部および各ロック部の配置を任意に設定できる。また、鍵およびリモコンのいずれでも解錠が可能な併用タイプでも、錠部と各ロック部との間を鍵解錠用ワイヤケーブルで、解錠駆動部と各ロック部との間をリモコン解錠用ワイヤケーブルで、それぞれ独立して連結しているため、錠部側および解錠駆動部側のどちらか一方に異常が生じても、他方によってロック部を確実に解錠できる。
【００２１】
請求項４記載の自動販売機の施錠装置によれば、請求項３記載の自動販売機の施錠装置の効果に加えて、各ロック部と各鍵解錠用ワイヤケーブルおよび各リモコン解錠用ワイヤケーブルとの間を連結するジョイントにより、鍵解錠用ワイヤケーブルおよびリモコン解錠用ワイヤケーブルからロック部へのそれぞれ独立した伝達動作を許容できるため、鍵解錠用ワイヤケーブルおよびリモコン解錠用ワイヤケーブルを同じロック部に連結していても、ロック部を確実に解錠動作できる。
【００２２】
請求項５記載の自動販売機の施錠装置によれば、請求項３または４記載の自動販売機の施錠装置の効果に加えて、取付部に錠部および解錠駆動部を一体に設けてユニット化したため、取付作業を簡単にできて取付工数も削減でき、組立性を向上できる。
【発明を実施するための最良の形態】
【００２３】
以下、本発明の一実施の形態を図面を参照して説明する。
【００２４】
図４に示すように、自動販売機は、前面を開口した箱形の販売機本体11と、この販売機本体11の前面を開閉するメイン扉である扉体12とを有し、販売機本体11に対して扉体12が一側の図示しないヒンジ機構によって開閉可能に連結されている。扉体12の前面には、商品見本展示部13、貨幣投入部14、商品取出口15、自動販売機の管理者が有する鍵によって解錠操作する錠部16のシリンダ錠17、自動販売機の管理者が有するリモコンからの赤外線などを通信媒体とする解錠信号を受信するリモコン受信部（リモコン受光部）18などが配設されている。
【００２５】
販売機本体11および扉体12のヒンジ機構によって開閉可能に連結された一側に対して反対側の他側には、販売機本体11に対して扉体12を閉鎖状態で施錠する施錠装置21が配設されている。この施錠装置21は、販売機本体11の一側内側で上下２箇所に設けられたロック受部22、および扉体12の裏面部12aの一側で各ロック受部22の位置に対応した上下２箇所に設けられたロック部23を有している。
【００２６】
各ロック受部22は、図５に示すように、上下２箇所とも同じ構造であり、販売機本体11の一側内側に複数のねじ24で固定される固定板25を有し、この固定板25から販売機本体11の前面に平行でかつ水平にロック軸26が突設されている。
【００２７】
各ロック部23は、図６および図７に示すように、上下２箇所とも同じ構造であって、上下で上下方向の向きを逆にして配置されており、扉体12の裏面部12aに複数のねじ27によって取り付けられるベース28を有し、このベース28に扉体12を閉じたときにロック軸26が相対的に侵入する溝部29が形成され、ベース28の内側には溝部29に侵入したロック軸26に係合して施錠するラッチ30およびこのラッチ30を施錠状態で係止するストッパ31がそれぞれ回動可能に軸支されている。
【００２８】
ラッチ30は、略Ｕ字形に形成されていて、施錠位置と解錠位置との間で回動可能とし、その略Ｕ字の一端には、ラッチ30の解錠位置で溝部29内に位置してこの溝部29内に侵入するロック軸26と当接してラッチ30を施錠位置に回動させる当接部32が設けられ、また、他端には、ラッチ30の解錠位置で溝部29から外れてベース28の内側に位置していてラッチ30の施錠位置への回動によってロック軸26に係合して施錠するラッチ部33が設けられている。ストッパ31は、施錠位置へ回動したラッチ30を係止して解錠位置への回動を規制する規制位置とラッチ30の施錠位置から解錠位置への回動を許容する規制解除位置との間で回動可能としている。
【００２９】
図１に示すように、各ロック部23のベース28の一部は扉体12の裏面部12aを貫通して扉体12の内側に突出され、扉体12の内側に配置される取付板34で裏面部12aを挟み込むようにしてねじ27で取り付けられている。扉体12内において、ベース28からストッパ31の一部が規制位置と規制解除位置とへの回動に対応した上下方向に移動可能に突設され、そのベース28からの突出位置に係合孔35が形成されている。
【００３０】
また、図４に示すように、扉体12には、各ロック部23のストッパ31を規制解除位置に移動させるための、つまりラッチ30の施錠位置から解錠位置への回動を許容して解錠させるための解錠装置としての解錠ユニット41が配設されている。この解錠ユニット41は、扉体12の裏面部12aの一側で上下のロック部23の間に取り付けられる解錠ユニット本体42を有している。
【００３１】
次に、図１に、解錠ユニット41の構成を示す。解錠ユニット本体42は、扉体12の裏面部12aに取り付けられる取付部43を有し、この取付部43に、鍵によるシリンダ錠17の解錠操作によって解錠動作する錠部44と、リモコン受信部18で解錠信号を受信することにより図示しない制御部の制御によって駆動する解錠駆動部としてのソレノイド45が一体に取り付けられている。
【００３２】
錠部44と各ロック部23のストッパ31とが鍵解錠用ワイヤケーブル46によって連結され、ソレノイド45と各ロック部23のストッパ31とがリモコン解錠用ワイヤケーブル47によって連結されている。各ワイヤケーブル46，47は、アウタチューブ48とこのアウタチューブ48内を挿通されてアウタチューブ48の両端から突出されるインナワイヤ49とを有し、各インナワイヤ49の両端には連結孔50を有する連結金具51が取り付けられている。
【００３３】
錠部44は、鍵によるシリンダ錠17が回転操作されるのに連動して施錠方向a1または解錠方向a2（図２参照）に回転する回転タグ52を有し、この回転タグ52の偏心回転位置にワイヤ連結部53が取り付けられている。取付部43には回転タグ52のワイヤ連結部53に対向する位置にブラケット54が取り付けられ、このブラケット54に２本の鍵解錠用ワイヤケーブル46のアウタチューブ48の一端がそれぞれ取り付けられ、それらアウタチューブ48の一端から突出するインナワイヤ49の一端の連結金具51がワイヤ連結部53にそれぞれ連結されている。
【００３４】
ソレノイド45は、励磁解除によって施錠方向b1に突出するとともに励磁によって解錠方向b2（図３参照）に引っ込むプランジャ55を有している。取付部43にはプランジャ55に対向する位置にブラケット56が取り付けられ、このブラケット56に２本のリモコン解錠用ワイヤケーブル47のアウタチューブ48の一端がそれぞれ取り付けられ、それらアウタチューブ48の一端から突出するインナワイヤ49の一端の連結金具51がジョイント57を介してプランジャ55にそれぞれ連結されている。
【００３５】
また、上下のロック部23の取付板34にはベース28から突出するストッパ31に対向する位置にブラケット60が取り付けられている。上部のロック部23のブラケット60に一方の鍵解錠用ワイヤケーブル46および一方のリモコン解錠用ワイヤケーブル47のアウタチューブ48の他端がそれぞれ取り付けられ、これらアウタチューブ48の他端から突出するインナワイヤ49の他端の連結金具51がジョイント61を介して上部のロック部23のストッパ31にそれぞれ連結されている。下部のロック部23のブラケット60に他方の鍵解錠用ワイヤケーブル46および他方のリモコン解錠用ワイヤケーブル47のアウタチューブ48の他端がそれぞれ取り付けられ、これらアウタチューブ48の他端から突出するインナワイヤ49の他端の連結金具51がジョイント61を介して下部のロック部23のストッパ31にそれぞれ連結されている。
【００３６】
各ジョイント61は、金属製の棒状材を折曲形成したもので、一端側には連結金具51の連結孔50を通すとともにストッパ31の係合孔35に引っ掛ける略Ｕ字形の引掛部62が形成され、他端側には通した連結金具51が外れるのを防止する抜止部63が形成されている。そして、このジョイント61により、鍵解錠用ワイヤケーブル46およびリモコン解錠用ワイヤケーブル47からロック部23へのそれぞれ独立した伝達動作が許容される。
【００３７】
次に、本実施の形態の作用を説明する。
【００３８】
図６(a)および図７(a)に示すように、扉体12が開放されていて、各ロック部23が解錠状態にある場合、ラッチ30が解錠位置に位置し、このラッチ30の当接部32がベース28の溝部29内に位置するとともにラッチ部33が溝部29から外れたベース28内に位置している。
【００３９】
そして、開放状態にある扉体12を販売機本体11に閉じることにより、各ロック部23の溝部29に各ロック受部22のロック軸26が相対的に侵入し、図６(b)および図７(b)に示すように、溝部29内に位置するラッチ30の当接部32がロック軸26に当接して押され、ラッチ30が施錠位置に回動し、ラッチ30のラッチ部33がロック軸26に係合し、同時に、施錠位置に回動したラッチ30を規制位置に位置するストッパ31で係止し、自動的に施錠状態とする。
【００４０】
図１に、施錠状態における解錠ユニット41の状態を示し、錠部44では、シリンダ錠17が施錠状態にあって、回転タグ52は施錠方向a1に回転した位置にあり、鍵解錠用ワイヤケーブル46のインナワイヤ49が各ロック部23側へ導出されている。また、ソレノイド45は非励磁状態にあって、プランジャ55が施錠方向b1に突出した位置にあり、リモコン解錠用ワイヤケーブル47のインナワイヤ49が各ロック部23側へ導出されている。したがって、各ロック部23のストッパ31にそれぞれ連結された２本のインナワイヤ49のいずれもが各ロック部23側に導出されているので、各ロック部23のストッパ31は規制位置に位置していて施錠位置のラッチ30を係止した状態、つまりラッチ30でロック受部22のロック軸26を施錠した状態を維持している。
【００４１】
次に、図２に示すように、管理者が鍵を使って扉体12を解錠して開く場合には、鍵をシリンダ錠17に差し込んで解錠方向に回動操作することにより、回転タグ52が解錠方向a2に回転し、この回転タグ52のワイヤ連結部53に連結された各鍵解錠用ワイヤケーブル46のインナワイヤ49の一端をそれぞれ引っ張り、各インナワイヤ49の他端に連結された各ジョイント61を介して各ロック部23のストッパ31をそれぞれ引っ張り、各ストッパ31がラッチ30を係止する規制位置からラッチ30の解錠位置への回動を許容する規制解除位置に回動する。この状態で、扉体12を開く方向に移動させることにより、ロック軸26に係合しているラッチ30が解錠位置に回動し、扉体12を開くことができる。
【００４２】
次に、図３に示すように、管理者がリモコンを使って扉体12を解錠して開く場合には、リモコンからの解除信号をリモコン受信部18に向けて送信することにより、リモコン受信部18で解錠信号を受信し、図示しない制御部の制御によってソレノイド45を駆動してプランジャ55を解錠方向b2に引っ込むように移動し、このプランジャ55に連結された各リモコン解錠用ワイヤケーブル47のインナワイヤ49の一端をそれぞれ引っ張り、各インナワイヤ49の他端に連結された各ジョイント61を介して各ロック部23のストッパ31をそれぞれ引っ張り、各ストッパ31がラッチ30を係止する規制位置からラッチ30の解錠位置への回動を許容する規制解除位置に回動する。この状態で、扉体12を開く方向に移動させることにより、ロック軸26に係合しているラッチ30が解錠位置に回動し、扉体12を開くことができる。
【００４３】
このように、２本の鍵解錠用ワイヤケーブル46により、１つの錠部44と上下２箇所のロック部23とをそれぞれ連結し、１つの錠部44の解錠動作を各ロック部23に伝達して各ロック部23を解錠させることができるため、錠部44が１つで済んで構成を簡素化でき、しかも、鍵解錠用ワイヤケーブル46の利用により、鍵による解錠操作の負荷を少なくでき、錠部44および各ロック部23の配置も任意に設定できる。
【００４４】
また、２本のリモコン解錠用ワイヤケーブル47により、１つのソレノイド45と上下２箇所のロック部23とをそれぞれ連結し、１つのソレノイド45の駆動を各ロック部23に伝達して各ロック部23を同時に解錠させることができるため、ソレノイド45が１つで済んで構成を簡素化でき、しかも、リモコン解錠用ワイヤケーブル47の利用により、ソレノイド45および各ロック部23の配置を任意に設定できる。
【００４５】
また、これら鍵およびリモコンのいずれでも解錠が可能な併用タイプであっても、錠部44と各ロック部23との間を鍵解錠用ワイヤケーブル46で、ソレノイド45と各ロック部23との間をリモコン解錠用ワイヤケーブル47で、それぞれ独立して連結しているため、錠部44側およびソレノイド45側のどちらか一方に異常が生じても、他方によってロック部23を確実に解錠できる。
【００４６】
また、各ロック部23と各鍵解錠用ワイヤケーブル46および各リモコン解錠用ワイヤケーブル47との間を連結するジョイント61により、鍵解錠用ワイヤケーブル46およびリモコン解錠用ワイヤケーブル47からロック部23へのそれぞれ独立した伝達動作を許容できるため、鍵解錠用ワイヤケーブル46およびリモコン解錠用ワイヤケーブル47を同じロック部23に連結していても、ロック部23を確実に解錠動作できる。
【００４７】
また、取付部43に錠部44およびソレノイド45を一体に設けてユニット化したため、扉体12への取付作業を簡単にできて取付工数も削減でき、組立性を向上できる。
【００４８】
また、鍵およびリモコンのいずれでも解錠が可能な併用タイプであれば、ルートサービスのメンテナンス作業時における解錠の利便性を向上でき、しかも、リモコンによる解錠を通常とし、リモコンによる解錠ができない場合の非常用として鍵による解錠を利用するようにすれば、シリンダ錠17を通常設置されている場所と異なる例えば見えにくい場所などに設置することができ、防盗性の向上を図ることができる。
【００４９】
なお、鍵のみで解錠する構成としてもよく、この場合には、リモコン受光部18、ソレノイド45およびリモコン解錠用ワイヤケーブル47などを省略できるので安価にできる。あるいは、リモコンのみで解錠する構成としてもよく、この場合には、シリンダ錠17、錠部44および鍵解錠用ワイヤケーブル46などを省略できるので安価にでき、さらに、扉体12および販売機本体11の外面から鍵穴をなくすことができるので、防盗性の向上を図ることができる。
【００５０】
また、ロック受部22およびロック部23は、上下２箇所に限らず、３箇所以上に設けてもよく、鍵解錠用ワイヤケーブル46およびリモコン解錠用ワイヤケーブル47を用いることにより、錠部44およびソレノイド45の位置と各ロック部23の位置とを任意に設定できる。
【図面の簡単な説明】
【００５１】
【図１】本発明の一実施の形態を示す自動販売機の施錠装置の解錠ユニットの構成図である。
【図２】同上解錠ユニットの鍵による解錠状態の構成図である。
【図３】同上解錠ユニットのリモコンによる解錠状態の構成図である。
【図４】同上自動販売機の斜視図である。
【図５】同上自動販売機の販売機本体に設けられたロック受部の斜視図である。
【図６】同上自動販売機の販売機本体に設けられた上部のロック部を示し、(a)は解錠状態の斜視図、(b)は施錠状態の斜視図である。
【図７】同上自動販売機の販売機本体に設けられた上部のロック部を示し、(a)は解錠状態の斜視図、(b)は施錠状態の斜視図である。
【符号の説明】
【００５２】
11    販売機本体
12    扉体
18    リモコン受信部
21    施錠装置
22    ロック受部
23    ロック部
43    取付部
44    錠部
45    解錠駆動部としてのソレノイド
46    鍵解錠用ワイヤケーブル
47    リモコン解錠用ワイヤケーブル
61    ジョイント
【図１】
2005336737.tif 000003
【図２】
2005336737.tif 000004
【図３】
2005336737.tif 000005
【図４】
2005336737.tif 000006
【図５】
2005336737.tif 000007
【図６】
2005336737.tif 000008
【図７】
2005336737.tif 000009